(57)【特許請求の範囲】
【請求項１】
周面に多数の凸部を有し、回転させつつその周面を複数枚が重ねられたトイレットペーパー原紙に圧接させて、その凸部の配列パターンに対応するエッジエンボスを付与して、複数のトイレットペーパー原紙のプライ接合を行なう、エッジエンボスロールであって、
前記エッジエンボスロールは、
周面移動方向に沿って所定間隔で凸部が並ぶ凸部列を有し、この凸部列がエッジエンボスロールの回転軸方向に沿う幅方向に所定間隔で複数配列されているとともに、幅方向の両端に位置する凸部列が、それらの列における周面移動方向において最も近い凸部同士の頂面が周面移動方向で一部重なる位置関係にあり、
かつ、前記凸部が、前記幅方向に平行な第一辺及びその第一辺よりも長い第二辺と、前記第一辺及び第二辺の各両端を繋ぐ第三辺及び第四辺とを有する四角形の頂面を有する形状であるとともに、前記第一辺が紙面に早く接する側に位置し、前記第二辺が紙面に遅く接する側に位置している、
ことを特徴とするエッジエンボスロール。
【請求項２】
第一辺と第二辺との長さの比（第一辺：第二辺）が１：１．０５〜１：１．２である請求項１記載のエッジエンボスロール。
【請求項３】
流れ方向ピッチ：４．５〜５．５ｍｍ
複数の凸部列が、幅方向の３．９１〜６．１１ｍｍの範囲内に３〜５列ある、請求項１又は２記載のエッジエンボスロール。
【請求項４】
凸部が前記幅方向に対して４０〜５０°で並ぶように配されている、請求項１〜３の何れか１項に記載のエッジエンボスロール。
【請求項５】
請求項１〜４の何れか１項に記載のエッジエンボスロールによってエッジエンボスが付与されて複数枚のトイレットペーパー原紙が積層一体化されたトイレットペーパーが巻かれたトイレットロールであって、
前記トイレットペーパーは、紙面全体に、所定の中心間隔で格子状に配列されたメインエンボスを有し、そのメインエンボスの凹部内にエッジエンボスの凹部が位置している、ことを特徴とするトイレットロール。
【請求項６】
請求項１〜４の何れか１項に記載のエッジエンボスロールによってエッジエンボスが付与されて複数枚のトイレットペーパー原紙が積層一体化されたトイレットペーパーが巻かれたトイレットロールであって、
前記トイレットペーパーは、紙面全体に、所定の中心間隔で格子状に配列され、かつ、前記底面の四隅部を繋ぐように谷溝が形成されているメインエンボスを有し、そのメインエンボスの凹部又は谷溝上にエッジエンボスの凹部が位置している、ことを特徴とするトイレットロール。
【発明の詳細な説明】
【技術分野】
【０００１】
本発明は、複数枚の帯状のトイレットペーパー原紙を連続方向に沿って型押して積層一体化するためのエッジエンボスロール、及びこのエッジエンボスロールによって複数枚の帯状のトイレットペーパー原紙が積層一体化されてなるトイレットペーパーをロール状に巻いたトイレットロールに関する。
【背景技術】
【０００２】
帯状のトイレットペーパーをロール状に巻いたトイレットロールは、良く知られる。このトイレットロールにおいては、そのトイレットペーパーが、複数のトイレットペーパー原紙を積層一体化した複数プライのものがある。この複数プライのものは、重ね合わせた原紙を、複数の凸部が所定のパターンで配列された比較的幅の狭いエンボスロールと、エンボスロールを受ける金属製又はゴム製の受けロールとの間を通して、エンボスを付与し、このエンボスによって積層された各原紙のプライ剥離を防止することがある。このエンボスは、エッジエンボス、ナーリング、コンタクトエンボスなどとも呼ばれる（本発明及び本明細書ではエッジエンボスという。また、エッジエンボスを付与するエンボスロールをエッジエンボスロールという。）
【０００３】
エッジエンボスによるプライ接合においては、各原紙が十分なプライ剥離強度で接合されていることに加えて、エッジエンボスロールの摩耗が少ないこと、エッジエンボスの付与に伴う紙の破損が無いこと、エッジエンボスの付与による意匠性の低下がないこと等が求められる。
【０００４】
エッジエンボスロールの摩耗性及びプライ剥離強度については、エッジエンボスロールの各凸部の頂面面積を広くしたり、凸部を密に配置したりすることで、圧着面積が増加してプライ剥離強度が高まるとともに、エッジエンボスロールの凸部の摩耗も進行し難くなるが、単にこのようにすると、トイレットペーパーをロール状にしてトイレットロールとした際に、エッジエンボス部分がリブ状に膨らんでトイレットロールの意匠性が悪化する。反対に、単にエッジエンボスロールの凸部の面積を小さくしたり、凸部を疎に配置したりすると、上記リブ状部分は形成され難くなるが、エッジエンボスロールの凸部が摩耗しやすくなるとともに、付与時にエッジエンボスロールが振動によって飛び跳ねたりがたついたりするバウンシングや、エッジエンボスロールが紙面に面接触せずに傾いて接してしまう片当たりの現象が発生しやすくなり、これに起因してエッジエンボスが付与されない部分があったり、過度の加圧によってエンボスが付与されてエンボス凹部となる部分に孔があいてしまうことがあり、プライ剥離強度や紙面の破損、見栄えの点で問題が生ずるおそれが高まる。
【０００５】
このようにエッジエンボスにおいては、凸部の大きさや配置の粗密だけでは、エッジエンボスに求められる種々の課題を改善することが難しい。
【０００６】
さらに、トイレットペーパーにおいては、デザイン性、滑らかさや嵩高さを向上させるべく紙面の広範な範囲に幾何学的又はランダムパターンで配されるエンボス（このようなエンボスは、エッジエンボスに対して、メインエンボス、デザインエンボス、マイクロエンボス、マクロエンボスなどとも称される。本発明及び明細書においてはメインエンボスという。）を付与することが行なわれるが、エッジエンボスは、このメインエンボスと調和して自身が目立たずにメインエンボスの意匠性を低下させないことが望ましいとされる。
【先行技術文献】
【特許文献】
【０００７】
【特許文献１】特開２０１０−１７３２６７号公報
【特許文献２】特許第４６２７８９２号
【特許文献３】特許第４４５０４２１号
【特許文献４】特許第５３３１５３０号
【特許文献５】特許第５００５０８５号
【発明の概要】
【発明が解決しようとする課題】
【０００８】
そこで、本発明の主たる課題は、十分なプライ剥離強度を発揮でき、さらに、バウンシングや片当たりがし難く、エッジエンボス付与後のトイレットペーパーをロール状にした際にリブ状部分が形成され難く、しかも耐摩耗性に優れるエッジエンボスロール、さらにそのエッジエンボスロールによってエッジエンボスが付与されたトイレットペーパーをロール状にした、意匠性に優れるトイレットロールを提供することにある。
【課題を解決するための手段】
【０００９】
上記課題を解決した本発明は次記のとおりである。
【００１０】
〔請求項１記載の発明〕
周面に多数の凸部を有し、回転させつつその周面を複数枚が重ねられたトイレットペーパー原紙に圧接させて、その凸部の配列パターンに対応するエッジエンボスを付与して、複数のトイレットペーパー原紙のプライ接合を行なう、エッジエンボスロールであって、
前記エッジエンボスロールは、
周面移動方向に沿って所定間隔で凸部が並ぶ凸部列を有し、この凸部列がエッジエンボスロールの回転軸方向に沿う幅方向に所定間隔で複数配列されているとともに、幅方向の両端に位置する凸部列が、それらの列における周面移動方向において最も近い凸部同士の頂面が周面移動方向で一部重なる位置関係にあり、
かつ、前記凸部が、前記幅方向に平行な第一辺及びその第一辺よりも長い第二辺と、前記第一辺及び第二辺の各両端を繋ぐ第三辺及び第四辺とを有する四角形の頂面を有する形状であるとともに、前記第一辺が紙面に早く接する側に位置し、前記第二辺が紙面に遅く接する側に位置している、
ことを特徴とするエッジエンボスロール。
【００１１】
〔請求項２記載の発明〕
第一辺と第二辺との長さの比（第一辺：第二辺）が１：１．０５〜１：１．２である請求項１記載のエッジエンボスロール。
【００１２】
〔請求項３記載の発明〕
流れ方向ピッチ：４．５〜５．５ｍｍ
複数の凸部列が、幅方向の３．９１〜６．１１ｍｍの範囲内に３〜５列ある、請求項１又は２記載のエッジエンボスロール。
【００１３】
〔請求項４記載の発明〕
凸部が前記幅方向に対して４０〜５０°で並ぶように配されている、請求項１〜３の何れか１項に記載のエッジエンボスロール。
【００１４】
〔請求項５記載の発明〕
請求項１〜４の何れか１項に記載のエッジエンボスロールによってエッジエンボスが付与されて複数枚のトイレットペーパー原紙が積層一体化されたトイレットペーパーが巻かれたトイレットロールであって、
前記トイレットペーパーは、紙面全体に、所定の中心間隔で格子状に配列されたメインエンボスを有し、そのメインエンボスの凹部内にエッジエンボスの凹部が位置している、ことを特徴とするトイレットロール。
【００１５】
〔請求項６記載の発明〕
請求項１〜４の何れか１項に記載のエッジエンボスロールによってエッジエンボスが付与されて複数枚のトイレットペーパー原紙が積層一体化されたトイレットペーパーが巻かれたトイレットロールであって、
前記トイレットペーパーは、紙面全体に、所定の中心間隔で格子状に配列され、かつ、前記底面の四隅部を繋ぐように谷溝が形成されているメインエンボスを有し、そのメインエンボスの凹部又は谷溝上にエッジエンボスの凹部が位置している、ことを特徴とするトイレットロール。
【発明の効果】
【００１６】
以上の本発明によれば、十分なプライ剥離強度を発揮でき、さらに、バウンシングや片当たりがし難く、エッジエンボス付与後のトイレットペーパーをロール状にした際にリブ状部分が形成され難く、しかも耐摩耗性に優れるエッジエンボスロール、及びそのエッジエンボスロールによってエッジエンボスが付与されたトイレットペーパーをロール状にした、意匠性に優れるトイレットロールが提供される。
【図面の簡単な説明】
【００１７】
【図１】本発明に係るエッジエンボスの付与態様を説明するための図である。
【図２】本発明に係るエッジエンボスロールを説明するための図である。
【図３】本発明に係るエッジエンボスロールにおける凸部頂面の形状及び凸部頂面の配列パターンを説明するための図である。
【図４】本発明に係るメインエンボス及びエッジエンボスが付与されたトイレットペーパーの平面図である。
【図５】本発明に係るメインエンボスが付与された他のトイレットペーパーの平面図である。
【図６】図５におけるＡ−Ａ断面、Ｂ−Ｂ断面、Ｃ−Ｃ断面を示す図である。
【図７】本発明に係るトイレットロールの概略を説明するための図である。
【図８】比較例１〜４及び従来例のエッジエンボスロールの凸部の配列パターンを説明するための図である。
【図９】プライ剥離防止性の試験方法を説明するための図である。
【図１０】エッジエンボスロールの凸部の摩耗の態様を説明するための図である。
【発明を実施するための形態】
【００１８】
次いで、本発明の実施の形態を図面を参照しながら詳述する。
【００１９】
本実施形態に係るエッジエンボスロール５を用いたエッジエンボスの付与は、複数の原反ロール８０，８０から単層のトイレットペーパー原紙１１，１１を繰り出し、その後に各トイレットペーパー原紙を重ねて積層状態として、その積層状態のトイレットペーパー原紙１１Ａを、周面にエッジエンボスに対応する所定のパターンで配された多数の凸部２０，２０…を有するエッジエンボスロール５とこのエッジエンボスロール５を受ける金属製又はゴム製の受けロール６との間を通紙させて行なう。
【００２０】
エッジエンボスロール５と受けロール６とは、各々が回転し、また周面同士が適宜の圧力で接するように配されており、前記トイレットペーパー原紙１１Ａが、エッジエンボスロール５と受けロール６との間を通過する際に、エッジエンボスロール５の周面に配された凸部２０，２０…が、トイレットペーパー原紙１１Ａに圧接し、そのエッジエンボスロール５の周面の凸部２０，２０…の配列パターンでエッジエンボスが付与され、複数のトイレットペーパー原紙１１，１１が積層一体化されてプライ接合される。
【００２１】
エッジエンボスロール５と受けロール６との間を通過したトイレットペーパー原紙１１Ａは後段の工程で巻き取られてロール状にされる等の処理がなされる。一般的には、エッジエンボスが付与されたトイレットペーパー原紙１１Ａは、製品としてのトイレットロールの直径と同径に巻き取ってログと称されるロール状の中間製品９０とされ、その後にこのログ９０を幅方向に裁断して個々のトイレットロール１０とされる。なお、図１では、エッジエンボスロール５が上方、受けロール６が下方位置となっているがこれらロールの位置関係は、これに限られたものではなく、エッジエンボスロール５と受けロール６の配置は、図１の位置と上下逆転していても良い。また、図１では、各々単層のトイレットペーパー原紙１１を巻き取った原反ロール８０から各々トイレットペーパー原紙１１，１１を繰り出しているが、予め複数枚が積層されたトイレットペーパー原紙１１Ａを巻き取った原反ロールからトイレットペーパー原紙１１Ａを繰出すようにしてもよい。
【００２２】
前記エッジエンボスロール５は、製造時におけるトイレットペーパー原紙１１Ａの幅に比して、幅狭であり、トイレットペーパー原紙１１Ａにおけるエッジエンボス２の付与部分は、製造時におけるトイレットペーパー原紙１１Ａの幅方向の特定の狭い適宜の位置とされる。上述のようにログ９０としてこれを幅方向に裁断して個々のトイレットロール１０とする一般的なトイレットロールの製造方法に従えば、個々のトイレットロール１０とされた際におけるそのトイレットロール１０の幅方向の両端部となる位置である。この場合は、トイレットペーパー原紙１１Ａの幅方向において複数のエッジエンボスロール５と受けロール６の組５６は並列された態様で、エッジエンボスの付与が行なわれる。
【００２３】
ここで、上述のようにエッジエンボスロール５は、トイレットペーパー原紙１１Ａに対して、幅狭であるとともに複数原紙の圧着のために比較的強く接触させられるため、摩耗が生ずる。また、その紙面への接触の際に、特に幅方向にブレてバウンシングや片当たりといった問題が生じやすい。本発明者は、図１０に示すように、従来のエッジエンボスロールの凸部２００の摩耗態様やバウンシング等の発生原因などについて詳細に検討したところ、特に、図１０に示すが如く、従来エッジエンボスロール５においては、凸部２００の摩耗が、回転方向で紙面に早く接する側の部位（以下、先行側部位ともいう）２１０よりも紙面に遅く接する側の部位（以下、遅行側部位ともいう）２２０において早く進行し、また、この先行側部位２１０と遅行側部位２２０における摩耗差によってがたつきが発生しやすくなり、バウンシング等が発生しやすくなることを知見した。この凸部の遅行側部位がより摩耗が進行しやすい原因は定かではないが、先行側部位２１０がエンボス未付与のトイレットペーパー原紙の厚みのある部分を押圧するのに対して、遅行側部位２２０はそれよりも先行する凸部２００の部分において押された後にトイレットペーパー原紙を押圧するため、その際エッジエンボスロール５が受けロール６側へ若干近づき、それによって受けロール６側への圧がやや高まるのではないかと推測される。
【００２４】
本実施形態に係るエッジエンボスロール５は、上記知見に基づき、請求項記載の発明に係る下記特徴的な配列パターン及び凸部２０の形状として、トイレットペーパー原紙同士１１，１１の十分なプライ剥離強度を達成し、また、トイレットペーパー１及びトイレットロール１０の意匠性を低下させることなく、その問題を解決している。
【００２５】
その本実施形態に係るエッジエンボスロール５は、特に図２及び図３に示すように、周面移動方向に沿って所定間隔で凸部２０，２０…が並ぶ凸部列２１ａ，２１ｂ，２１ｃを有し、この凸部列２１ａ，２１ｂ，２１ｃがエッジエンボスロール５の回転軸方向に平行な幅方向に所定間隔で複数配列されている。なお、図示例では凸部列は三列であるが、かならずしも三列に限定されるわけではない。本実施形態に係るエッジエンボスロール５では、このように凸部２０が所定間隔で並ぶ凸部列２１ａ，２１ｂ，２１ｃとなっているため、トイレットペーパー原紙１１，１１の連続方向に断続的に凸部２０，２０…が押されることになり、複数のトイレットペーパー原紙１１，１１が連続方向に所定間隔の凹部をもって圧着され、プライ剥離が防止される。また、凸部２０，２０…が所定間隔で配列、すなわち断続的で連続していないことにより、特にトイレットロール１０を使用する際のプライ剥離がし難くなる。すなわち、トイレットロール１０は、使用時に引き出し側の端（先端）から引き出して使用されるため、使用時におけるプライ剥離は、引き出し側の端から生じ、連鎖的に芯側へ向かって進行しやすい。本実施形態のエッジエンボスロール５によって付与されるエッジエンボスのパターンは、トイレットペーパー原紙１１，１１が連続方向に断続的に凹部で圧着されることになるため、凹部がトイレットペーパー原紙１１，１１の連続方向に沿って連通して配されるパターンに比して、剥離が連続方向で連鎖し難い。また、このように凹部が断続配置となることにより、トイレットロール１０とした際に、リブ状部分が形成されがたい。すなわち、トイレットロール１０は、トイレットペーパー原紙１１，１１が巻かれて幾重にも重ねられて形成される。そして、リブ状部分は、エッジエンボスの凹部の位置が積層部分において幾重にも重なることがその形成要因の一つとなる。本実施形態に係るエッジエンボスロール５では、付与されるエッジエンボスのパターンが、凹部が断続するものとなるため、凹部の位置がトイレットロール１０とした際に重なり難く、もってリブ状部分が形成され難くなる。
【００２６】
また、特に本実施形態に係るエッジエンボスロール５は、上記凸部列が回転軸方向に平行な幅方向に所定間隔で複数列配列されている。このように凸部列２１ａ，２１ｂ，２１ｃが複数列配列されていることで、紙面における凹部が分散され、凸部自体を小さくしてもプライ剥離性が十分に発揮されるとともに、リブ状部分も形成され難くなる。さらに、このように凸部列２１が複数あることによって、エッジエンボスロール５が紙面に対して安定的に接触しやすくなり、幅方向のブレが発生し難くなり、もってバウンシングや片当たりが発生し難くなる。特に、本実施形態に係るエッジエンボスロール５においては、その凸部列が、幅方向の３．９１〜６．１１ｍｍの範囲Ｌ８内に３〜５列あるのが望ましい。この範囲とすると、プライ剥離の防止性、リブ状部分の形成防止性がより効果的に発揮されるとともに、バウンシング等がより発生しがたくなる。
【００２７】
また、上記凸部列２１ａ，２１ｂ，２１ｃにおける凸部２０の所定間隔（ピッチ）Ｌ７は、４．５〜５．５ｍｍであるのが望ましい。係る間隔であると、プライ剥離の防止性及びリブ状部分の形成防止性がより効果的に発揮される。また、凸部列同士の所定間隔としては、１．０〜３．１ｍｍであるのが望ましい。上記凸部列における凸部間の間隔と相まって、プライ剥離の防止性、リブ状部分の形成防止性がより効果的に発揮されるとともに、バウンシング等がより発生しがたくなる。
【００２８】
他方、本実施形態に係るエッジエンボスロール５は、特に、幅方向の両端に位置する凸部列２１ａ，２１ｃが、それらの列における周面移動方向において最も近い凸部同士Ｘが周面移動方向で一部重なる位置関係とされている。係る位置関係とすることで、特に、エッジエンボスロール５の回転に伴って次々と紙面に接触することになる凸部２０が、両端凸部列２１ａ，２１ｃの凸部２０が同時に接触する部分（この同時に接触する部分は、図３中符号Ｄで示す）をもって、順次紙面に接触することになるため、エッジエンボスロール５が幅方向にブレ難く、バウンシング及び片当たりが発生し難い。
【００２９】
ここで、特に本実施形態に係るエッジエンボスロール５の最も好ましい配列は、特に、凸部列が三列以上であり、上記両端に位置する凸部列の間の凸部列が、前記両端において重なる位置Ｄ間で、その凸部が均等間隔で配置されているものである。係る凸部の配列パターンでは、より紙面に対する安定接触性に優れ、バウンシング及び片当たりの発生、さらにプライ剥離の防止性やリブ状部分の形成防止性においても優れるものとなる。なお、図示例は、凸部列が三列２１ａ，２１ｂ，２１ｃで、中間の凸部列２１ｂが、両端凸部列２１ａ，２１ｃにおける凸部の周面移動方向の重なり部分Ｄの中間位置に凸部が位置するパターンとなっている。
【００３０】
他方、本実施形態に係るエッジエンボスロール５では、上記凸部２０，２０…の配列パターンと相まって、上記の凸部２０，２０…の配列パターンによるプライ剥離防止性、リブ状部分の形成防止性、摩耗性の改善、バウンシング及び片当たりの発生防止性をより効果的なものとすべく、下記の特徴的な凸部の形状となっている。すなわち、本実施形態に係るエッジエンボスロール５では、凸部２０の形状が、幅方向に平行な第一辺Ｅ１及びその第一辺Ｅ１よりも長い第二辺Ｅ２と、前記第一辺Ｅ１及び第二辺Ｅ２の各両端を繋ぐ第三辺Ｅ３及び第四辺Ｅ４とを有する四角形の頂面を有する形状であるとともに、前記第一辺Ｅ１が紙面に早く接する側に位置し、前記第二辺Ｅ２が紙面に遅く接する側に位置しているものとなっている。幅方向に平行な第一辺Ｅ１及び第二辺Ｅ２を有する形状とすることで、エッジエンボスロール５が回転した際に、当該凸部２０は、紙面に対して辺Ｅ１で接触して辺Ｅ２で抜けていくようになるため、エッジエンボスロール５の紙面への接触安定性に優れるとともに、凸部２０の摩耗がし難くなる。この点、本発明とは異なる形状の凸部との対比で説明すると、例えば、凸部の形状が、菱形、四角形或いは三角形であってその頂点から紙面に接する形状や、円形の頂面を有する形状などでは、凸部が紙面に接し始める際にその頂点や円形の一点に過度に力が加わりやすく、エッジエンボスロールの凸部の摩耗が特にその頂点等において進行しやすくなるとともに、エッジエンボスロールの紙面に対する安定的な接触が確保し難くなるが、本実施形態では、上記のように辺Ｅ１で接触開始して、辺Ｅ２で抜けるため一点に過度の力が加わり難く、また、紙面への安定性にもすぐれるのである。
【００３１】
さらに、本実施形態に係るエッジエンボスロール５の凸部２０は、紙面に早く接する側に位置する第一辺Ｅ１よりも、紙面に遅く接する側に位置している第二辺Ｅ２のほうが長い四角形状となっている。上述のとおり、エッジエンボスの凸部２０の摩耗は、図１０に示すが如く、エッジエンボスの回転時に紙面に遅く接する遅行側部位２２０において進行しやすいが、本実施形態に係る凸部２０では、特に最遅行側部位である第二辺Ｅ２が長い台形形状としてあることにより当該部位の摩耗進行が遅く、偏摩耗が解消される。また、その第二辺Ｅ２側の摩耗進行速度の低下によってバウンシングや片当たりも発生し難くなり、バウンシング等に起因する凸部２０の摩耗、偏摩耗も抑制され、相乗的に凸部２０の摩耗が抑制される。
【００３２】
本実施形態に係るこの凸部２０の形状は、上記のとおり第一辺Ｅ１より第二辺Ｅ２が長い四角形であればよいが、より好適には等角台形である。より紙面に対する安定性がより高まり、本発明の効果がより顕著となる。
【００３３】
また、本実施形態に係る凸部２０においては、第一辺Ｅ１と第二辺Ｅ２との長さの比は、（第一辺：第二辺）は、１：１．０５〜１：１．２であるのが望ましい。第一辺Ｅ１と第二辺Ｅ２との長さの比は、トイレットペーパー原紙１１の米坪、重ね合わせ枚数、エッジエンボスロール５の回転速度、エンボス圧によって設計することができるが、米坪１１．０〜２５．０ｇ／ｍ2のトイレットペーパー原紙を２〜４枚重ねとした紙厚１００〜３５０μｍの構成の通常のトイレットペーパーでは、上記第一辺Ｅ１と第二辺Ｅ２との長さの比を上記範囲内とすることで、特に偏摩耗を効果的に抑制することができる。なお、ここでの米坪とは、ＪＩＳ Ｐ ８１２４（１９９８）の米坪測定方法によるものであり、紙厚は、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて異なる任意の五箇所を測定し、この五箇所の測定値の平均値をいう。
【００３４】
他方、本実施形態に係る凸部２０のより具体的な大きさは、第一辺Ｅ１の長さＬ１が０．３〜０．７ｍｍ、第二辺の長さＬ２が０．３２〜０．８２ｍｍ、第一辺Ｅ１と第二辺Ｅ２との周面移動方向の間隔Ｌ３が０．３〜０．８２ｍｍであるのが望ましい。この大きさであれば、プライ剥離防止性、リブ状部分の形成防止性、摩耗性の改善、バウンシング及び片当たりの発生防止性の効果が十分に発揮される。また、凸部の高さは、特に限定されないが、０．４〜１．２ｍｍ程度である。
【００３５】
他方、本実施形態に係るエッジエンボスロール５は、特に凸部２０，２０…がエッジエンボスロール５の幅方向に対して４０〜５０°で並ぶように配されているのが望ましい（図中、この角度を符号∠αとして示している。）。特に好ましくは、４５°で並ぶように配されているのが望ましい。凸部２０，２０…が、幅方向に対して４０〜５０°で並ぶように配されていると、より紙面に対する安定性が高まりバウンシング及び片当たりがより発生し難くなる。また、係る配列パターンとすると凸部２０が縦横に規則正しく配列されることになり、付与されたエッジエンボスの見た目の意匠性も向上する。
【００３６】
ここで、特に本実施形態に係るエッジエンボスロール５では、上述のプライ剥離等の種々のエッジエンボス付与時の問題が解消されるとともに、その凸部２０の配列パターンからして、副次的にメインエンボスとの関係で意匠性にすぐれるトイレットロールを形成することができる。係る意匠性にすぐれるトイレットロール１０は、図４に示す紙面全体に底面が四角形の凹部３０が所定の中心間隔で格子状に配列されたメインエンボスを有し、そのメインエンボスの凹部３０内にエッジエンボスの凹部２５が位置しているトイレットペーパー１を巻いたトイレットロール１０である。このトイレットロール１０では、上記のとおりリブ状部分の形成性が改善され、さらに、メインエンボスの凹部３０内にエッジエンボスの凹部２５が位置しているため、エッジエンボスが目立たず、メインエンボスの意匠性がエッジエンボスによって阻害されない。係るトイレットペーパー１は、本実施形態に係るエッジエンボスロール５を用いて、予めエッジエンボスロール５の凸部２０の配列パターンに対応するメインエンボスが付与されたトイレットペーパー原紙１１をプライ接合することとし、その際にメインエンボスの位置とエッジエンボスロール５の紙面への接触開始位置を適宜に調整すればよい。メインエンボスとエッジエンボスの凸部の配列関係は、トイレットペーパー原紙１１Ａにおけるメインエンボスの凹部３０のトイレットペーパーの連続方向の間隔と、幅方向の間隔とを、エッジエンボスロール５の凸部列２１ａ，２１ｂ，２１ｃにおける凸部２０の周面移動方向の間隔と、幅方向の間隔とを対応させるようにすればよい。
【００３７】
また、本実施形態に係る意匠性に優れるトイレットロール１０の他の形態として、図５及び６に示す紙面全体に底面が四角形の凹部４０，４０が所定の中心間隔Ｌ９で格子状に配列され、かつ、前記底面の四隅部を繋ぐように谷溝４１，４１…が形成されているメインエンボスを有し、そのメインエンボスの凹部４０又は谷溝４１上にエッジエンボスの凹部が位置しているトイレットペーパー１を、巻いたトイレットロール１０が挙げられる（なお、図５及び６では、エッジエンボスは省略している）。係るトイレットロール１０においても、リブ状部分の形成性が改善され、またエッジエンボスが目立たず、メインエンボスの意匠性が阻害されない。このトイレットロール１０を製造するには、メインエンボスの凹部４０の大きさと、メインエンボスの各凹部４０のピッチと配列角度∠Ｂと、エッジエンボスロール５における凸部２０のピッチ（周面移動方向における間隔）と配列角度∠αとを一致させるようにすればよい。特に、この図５及び６に示す形態では、メインエンボスの凹部４０内ではなく谷溝４１上を凸部が踏むことになり、プライ剥離の防止性が高まるうえ、エッジエンボスの凹部２５が谷溝４１上に位置していても、谷溝４１によって繋がるメインエンボスの凹部４０にエッジエンボスの凹部２５が埋没して認識されがたく、エッジエンボスが目立ち難い。図５及び図６に示すこのメインエンボスは、特に、底面が１．０〜１．５×１．０〜１．５ｍｍの四角形であり、中心間隔Ｌ９が４．５〜５．５ｍｍで、その凹部５０，５０…が、幅方向に対しての配列角度４０°〜５０°（配列角度は図５中において符号∠Ｂで示す）で格子状に配列されているのがより望ましい。特に、この範囲とするとエッジエンボス２による見た目の違和感が極めて小さくなる。
【００３８】
なお、メインエンボスの付与態様は、一方の面の凹部が他方面の凸部となるいわゆるシングルエンボスの形態に限らず、双方の面が凹部となるいわゆるダブルエンボスの形態であってもよい。
【００３９】
ここで、上記本実施形態に係るトイレットロール１０の具体的な大きさ等は必ずしも限定されないが、特に本実施形態に係るエッジエンボスロール５による効果的に発揮されるのは、図７に示すように、幅Ｌ４が１００〜１２０ｍｍ、直径Ｌ５が１００〜１２０ｍｍ、巻き長さ（トイレットペーパーの全長）が１８〜７０ｍ、紙管外径Ｌ６が３５〜５０ｍｍの一般的な形態のトイレットロール１０である。なお、エッジエンボス２が配される位置としては、トイレットペーパー１０の幅方向両縁部、より具体的には両縁から５０ｍｍ以内の範囲の縁部それぞれにあるのが好ましいが、必ずしもこの位置に限定されない。
【００４０】
他方、本実施形態に係るエッジエンボスロールの素材、直径等の大きさは、対象となるトイレットペーパー原紙の物性や大きさ、装置規模、加工速度等を考慮して適宜に選択することができる。但し、本発明に係る効果が特に発揮される素材としては硬度がＨｓ５４〜９０の程度の一般的な工具鋼であり、また、エッジエンボスロールの大きさは直径９０〜３００ｍｍである。
【００４１】
以上のとおり本実施形態に係るエッジエンボスロールは、十分なプライ剥離強度を発揮でき、さらに、バウンシングや片当たりがし難く、エッジエンボス付与後のトイレットペーパーをロール状にした際にリブ状部分が形成され難く、しかも耐摩耗性に優れる。
【００４２】
また、所定のメインエンボスとの関係とすることで、リブ状部分の形成により意匠性の低下、エッジエンボスによるメインエンボスの意匠性の低下がない、意匠性に優れるトイレットロールが製造でき提供することができる。
【実施例】
【００４３】
以下、さらに本発明に係る実施例１及び２のエッジエンボスロール、比較例１〜４のエッジエンボスロール、従来例のエッジエンボスロールに関し、摩耗性、プライ剥離の防止性、エンボスの入り具合、ロール状にした際のリブ状部分の形成の防止性について評価を行なったのでその結果を下記の表１に示す。
【００４４】
用いたトイレットペーパーは、米坪が１６．５ｇ／ｍ2のトイレットペーパー原紙を２枚重ねにした２プライ構造のものであり、紙厚は２１０μｍ（２プライ）のものとした。
【００４５】
また、トイレットペーパーは、図５及び図６に示すメインエンボスをシングルエンボスの付与態様で形成したものとした。なお、メインエンボスは、底面が１．１×１．１ｍｍの四角形であり、中心間隔が５．０ｍｍである単位メインエンボス凹部が、幅方向に対する配列角度４５°で配置され、各四角形の頂点から谷溝をもって連なるようにしたパターンとした。
【００４６】
幅方向の両端に位置する凸部列における周面移動方向において最も近い凸部同士の頂面の周面移動方向での重なりに関しては、表中に凸部の周面移動方向長さに対する重なり幅の割合として記載した。
【００４７】
実施例１に係るエッジエンボスロールは、図３に示される凸部の配列パターンである。具体的な構成は、表１中に示す。
【００４８】
実施例２に係るエッジエンボスロールは、図３に示される凸部の配列パターンで、具体的な構成は、表１中に示す。実施例１とは、幅方向の両端に位置する凸部列における周面移動方向において最も近い凸部同士の頂面の周面移動方向での重なり幅の割合と、加工幅が異なっている。
【００４９】
比較例１に係るエッジエンボスロールは、図８（Ａ）に示す凸部の配列パターンであり、短辺が連続方向に沿って凸部が一列配列されているものである。凸部の頂面の形状は、短辺０．５ｍｍ、長辺７．０７ｍｍの平行四辺形であり、紙面に頂点から接し、頂点で抜けていくものとなっている。
【００５０】
比較例２に係るエッジエンボスロールは、図８（Ｂ）に示す凸部の配列パターンであり、凸部の頂面の形状は、一辺０．５ｍｍの正方形であり、各辺はそれぞれ周面移動方向、幅方向に沿っている。また、この比較例２は、幅方向の両端に位置する凸部列における周面移動方向において最も近い凸部同士の頂面の周面移動方向での重なりがない。
【００５１】
比較例３に係るエッジエンボスロールは、図８（Ｃ）に示す凸部の配列パターンであり、凸部列を５列有している。凸部の頂面の形状は、直径０．５ｍｍの真円である。両端凸部列における周面移動方向において最も近い凸部同士の頂面の周面移動方向での重なりはない。図８中、重なりが無いことを、離間部分として符号Ｗで示している。
【００５２】
比較例４に係るエッジエンボスロールは、図８（Ｄ）に示す凸部の配列パターンであり、凸部の頂面形状は、一辺０．６２ｍｍの正方形であり、各辺はそれぞれ周面移動方向、幅方向に沿っている。幅方向の両端に位置する凸部列における周面移動方向において最も近い凸部同士の頂面の周面移動方向での重なりは有している。
【００５３】
従来例に係るエッジエンボスロールは、図８（Ｅ）に示す凸部の配列パターンであり、凸部の頂面の形状は、一辺１．１ｍｍの正方形であり、各辺はそれぞれ周面移動方向、幅方向に沿っている。各凸部列における周面移動方向において最も近い凸部同士の頂面の周面移動方向での重なりは有していない。
【００５４】
プライ剥離の防止性については、図９に（１）正面視、（２）側面視を示したように、トイレットペーパーのエッジエンボスを含むようにして幅方向に２０ｍｍ、連続方向にミシン目などを含まない範囲で１００ｍｍ裁断した試料を用意し、その試料を連続方向の一方端から３０ｍｍ剥離してその分離端２５ｍｍを引張り試験機の各チャックに固定してセットして、一方のチャックを１００ｍｍ／ｍｉｎの速度で、５０ｍｍ引張った際の、プライ剥離の強度を測定し、その測定値から評価した。評価は、この試験において４．５ｃＮ以上の測定値であれば、プライ剥離のおそれがほとんどないと判断できるため、測定値が４．５ｃＮ以上であるものを○と評価した。
【００５５】
エッジエンボスロールの摩耗性については、約１８，０００，０００ｍのトイレットペーパー原紙に対してエッジエンボスの付与をおこなった後、エッジエンボスロールの摩耗の具合を目視にて確認し、摩耗の進行や偏摩耗の発生具合が従来例以下又は従来例と同等であったものを×、摩耗の進行や偏摩耗の発生具合が従来例よりもやや改善が看られるものを△、摩耗の進行や偏摩耗の発生具合よりも明らかに改善されているものを○と評価することとした。
【００５６】
エンボスの入り具合は、従来例よりもバウンシング、片当たりに起因すると思われる単位凹エンボスの飛び、穴あき等が発生しているか否かを目視にて確認し、殆ど発生していないものを○、従来例よりも若干発生が減少しているものを△、従来と同等かそれ以下のものを×と評価した。
【００５７】
ロール状にした際のリブ状部分の形成の防止性は、外直径４２．８ｍｍφ、幅１１４ｍｍの紙管に、各例に係るエッジエンボスロールによってエッジエンボスを付与したトイレットペーパーを３０ｍ巻いたトイレットロールを作成し、エッジエンボス付与部分がリブ状にどの程度の高さ盛り上がっているかを確認した。具体的な確認方法は、各ロールを端面視して、端面の縁を基準としてエッジエンボス付与部分が外面側にどの程度の高さの凸となっているかを定規で計測した。なお、計測は、トイレットロールを定規とともに端面視で撮影して行なう。また、測定値は、５個のロールの平均値とした。  評価は、０．８ｍｍ以下であれば目視にてほとんどリブ状であることが感じられないため、０．８ｍｍ以下を△、さらに０．３ｍｍ以下であったものを○とした。また、０．８ｍｍを超えてくるとリブ状になっていることが目視にて感じられるため０．８ｍｍ超〜１．５ｍｍ以下を×と評価した。さらに、１．５ｍｍを超えてくると明らかにリブ状部分が目立つようになるため１．５ｍｍを超えてくるものについては×と評価することとした。
【００５８】
意匠性は、従来例を基準として、従来例よりもエッジエンボスが目立たないか否かを目視にて確認し、殆ど目立たなくなるように改善されているものを○、従来例より若干程度しか改善されていないものを△、従来と同等かより目立つものを×と評価した。
【００５９】
【表１】
0006370657.tif 000002
【００６０】
表１に示す結果のとおり、本発明の実施例１及び実施例２は、プライ剥離の防止性は十分であり、そのうえでエッジエンボスロールの耐摩耗性、エンボスの入り具合、リブ状部分の形成の防止性について明らかな改善が確認できた。また、意匠性についても良好な結果となった。
【００６１】
これに対して、各比較例は、エッジエンボスロールの耐摩耗性について、明らかな改善が確認できなかった。また、特に、幅方向に平行な辺をもたない比較例１及び比較例３、先行側部位である第一辺と遅行側部位である第二辺の長さが等しい比較例２及び比較例４では、バウンシングと片当たりの発生が確認でき、紙面に対して安定して接しないことが確認された。これにより、エンボスの入り具合についても従来例に比して十分な改善がみられなかった。
【００６２】
さらに、比較例１及び比較例３は、エッジエンボスによる凹部とメインエンボスの凹部とがずれている形態であり、この形態では両エンボスの凹部のズレにより、エッジエンボスが目立ち、意匠性に十分な改善がみられなかった。
【００６３】
一方、エッジエンボスが一列しかなく圧着箇所が少ない比較例１では、プライ剥離の防止性が従来例より劣る結果となった。
【００６４】
以上の各試験の結果からすれば、本発明に係るエッジエンボスのパターンとすることにより、プライ剥離の防止性、エッジエンボスロールの摩耗性、エンボスの入り具合、ロール状にした際のリブ状部分の形成の防止性、意匠性の各項目において優れたものとなる。
【符号の説明】
【００６５】
１…トイレットペーパー、２…エッジエンボス、５…エッジエンボスロール、６…受けロール、１０…トイレットロール、１１…単層のトイレットペーパー原紙、１１Ａ…積層状態のトイレットペーパー原紙、２０，２００…エッジエンボスロール周面の凸部、２１…凸部列、２５…エッジエンボスの凹部、３０…メインエンボスの凹部、８０…原反ロール、９０…ログ、２１０…凸部の先行側部位、２２０…凸部の遅行側部位、Ｘ…両端凸部列の周面移動方向において最も近い凸部の組、Ｄ…両端凸部列の紙面に同時に接する部分、Ｅ１…第一辺、Ｅ２…第二辺、Ｅ３…第三辺、Ｅ４…第四辺、Ｌ１…第一辺の長さ、Ｌ２…第二辺の長さ、Ｌ３…第一辺と第二辺との間隔、Ｌ４…トイレットロールの幅、Ｌ５…トイレットロールの直径、Ｌ６…トイレットロールの紙管径、Ｌ７…凸部列における凸部の間隔（ピッチ）、Ｌ８…凸部列の幅方向付与範囲、Ｌ９…メインエンボスの凹部の中心間隔、∠α…幅方向に対する凸部の配列角度、∠Ｂ…メインエンボスの凹部の配列角度。
【図１】
0006370657.tif 000003
【図２】
0006370657.tif 000004
【図３】
0006370657.tif 000005
【図４】
0006370657.tif 000006
【図５】
0006370657.tif 000007
【図６】
0006370657.tif 000008
【図７】
0006370657.tif 000009
【図８】
0006370657.tif 000010
【図９】
0006370657.tif 000011
【図１０】
0006370657.tif 000012